(57)【要約】【課題】  画像入力装置と画像形成装置との組み合わせにより実現されるコピー機においてファーストコピー時間の短縮を図る。【解決手段】  シリアルインタフェース３を介して互いに接続された画像入力装置１と画像形成装置２とにより構成され、画像入力装置により画像入力された画像データを画像形成装置へ送出する画像入力形成システムであって、画像入力装置は、画像データを入力するための予備的な操作を検出すると、画像データを送出する前に、シリアルインタフェースを介して、画像形成装置に対し、画像形成のための準備を指示する準備指示情報を送出する早期化手段１２を備え、画像形成装置は、準備指示情報を受信すると、画像形成の準備動作を開始する。【選択図】  図１
2006287975.tif 000002
【特許請求の範囲】
【請求項１】
入力した画像データを、画像形成装置へ送出するとともに、ホストコンピュータに接続可能な画像入力装置であって、
画像データを入力するための予備的な操作を検出すると、前記画像データを送出する前に、前記画像形成装置に対し、画像形成のための準備を指示する準備指示情報を送出する早期化手段と、
前記画像データの用途及び送出先を指定するワークモードの設定を記憶するモード記憶部とを備え、
前記早期化手段は、前記ワークモードの設定として前記画像データを前記画像形成装置へ送出するコピーモードが前記モード記憶部に記憶されている場合において、前記ワークモードの設定がスキャナモードからコピーモードへ切り替えられたことを、前記予備的な操作として検出し、前記準備指示情報を送出する
ことを特徴とする画像入力装置。
【請求項２】
互いに接続された画像入力装置と画像形成装置とにより構成され、前記画像入力装置により画像入力された画像データを、前記画像形成装置へ送出するとともに、ホストコンピュータと接続可能な画像入力形成システムであって、
前記画像入力装置は、画像データを入力するための予備的な操作を検出すると、前記画像データを送出する前に、前記画像形成装置に対し、画像形成のための準備を指示する準備指示情報を送出する早期化手段と、前記画像データの用途及び送出先を指定するワークモードの設定を記憶するモード記憶部とを備え、
前記画像入力装置の早期化手段は、前記ワークモードの設定として前記画像データを前記画像形成装置へ送出するコピーモードが前記モード記憶部に記憶されている場合において、前記ワークモードの設定がスキャナモードからコピーモードへ切り替えられたことを、前記予備的な操作として検出し、前記準備指示情報を前記画像形成装置に送出し、
前記画像形成装置は、前記準備指示情報を受信すると、画像形成の準備動作を開始する
ことを特徴とする画像入力形成システム。
【発明の詳細な説明】
【技術分野】
【０００１】
本発明は、プリンタ等の画像形成装置とは別筐体のスキャナ等の画像入力装置、及び、その画像入力装置と画像形成装置とを組み合せた画像入力形成システムに関し、特に、その画像入力装置又は画像入力形成システムによりコピー機能を実現する際に、ファーストコピーまでに要する時間の短縮を図る技術に関する。
【背景技術】
【０００２】
従来のコピー専用機においては、一つの筐体内に、画像を読み取るスキャナ部と、読み取った画像を出力するプリンタ部とを設けていた。そして、スキャナ部からプリンタ部へ転送される画像情報は、コピー速度を向上させるため、独自フレームにフォーマット化されて転送されていた。
【０００３】
さらに、コピー専用機においては、コピー開始を指示してからプリンタ部が印刷可能状態になるまでに要する時間、すなわち、ファーストコピー時間を短縮する技術が提案されている。具体的には、ファーストコピー時間を短縮するために、画像データを入力するための予備的な操作を検出する。予備的な操作とは、コピー専用機で原稿を複写しようとする使用者が、コピー開始のスイッチボタン等を操作する前に行う操作であり、例えば、コピー専用機に原稿をセットしたり、その原稿のセットのためにコピー専用機のカバーを開閉したりする操作をいう。
【０００４】
そして、予備的な操作が行われたことを検出すると、コピー専用機のプリンタ部は、実際のコピー開始に先立って、印刷が直ちに開始可能な状態となるように準備動作を開始する。準備動作としては、例えば、熱源のウォーミングアップや、ポリゴンモータの起動、さらには、印刷用紙の給紙等を行う。
このように、コピー開始が指示される前の段階で、画像データを入力するための予備的な操作を検出し、プリンタ部で準備動作を開始することにより、プリンタ部において、画像データを受けてから速やかに印刷動作を開始することが可能なる。
【０００５】
また、近年、コンピュータの周辺機器であるイメージスキャナ装置とプリンタ装置とを組み合わせてコピー機として機能させることが提案されている。そのような従来技術の一例が、例えば特許文献１に開示されている。この文献に開示の技術によれば、イメージスキャナ装置に双方向通信可能なインタフェース（Ｉ／Ｆ）ポートを複数設け、ホストコンピュータとプリンタ装置とを繋ぐ信号線の途中にイメージスキャナ装置を挿入した構成としている。そして、この構成により通常のスキャナとしての機能の他に、コピー機としての機能を実現している。
【０００６】
【特許文献１】特開平８−３４０４１２号公報
【発明の開示】
【発明が解決しようとする課題】
【０００７】
しかしながら、従来の周辺機器のスキャナ装置とプリンタ装置とを組み合せてコピー機能を実現させる際には、スキャナ装置からプリンタ装置へは、基本的に画像データだけが送られていた。
そして、例えばページプリンタ装置においては、画像データが一頁分送られてきてからプリンタエンジンに対して印刷開始を指示していた。
このため、周辺機器を利用してコピー機能を実現すると、コピー専用機を利用する場合に比べて、ファーストコピー時間が長くなるという問題点があった。
【０００８】
本発明は、上記の問題を解決すべくなされたものであり、画像入力装置と画像形成装置との組み合わせにより実現されるコピー機において、ファーストコピー時間の短縮を図ることができる技術の提供を目的とする。
【課題を解決するための手段】
【０００９】
本発明に係る発明者は、画像データに先立ち、ファーストコピー時間を短縮させるための準備動作を指示する制御情報を伝送すれば、上記の目的の達成を図ることができることに想到した。
【００１０】
そこで、本発明の請求項１に係る画像入力装置によれば、入力した画像データを、画像形成装置へ送出するとともに、ホストコンピュータに接続可能な画像入力装置であって、画像データを入力するための予備的な操作を検出すると、画像データを送出する前に、画像形成装置に対し、画像形成のための準備を指示する準備指示情報を送出する早期化手段と、画像データの用途及び送出先を指定するワークモードの設定を記憶するモード記憶部とを備え、早期化手段は、ワークモードの設定として画像データを画像形成装置へ送出するコピーモードがモード記憶部に記憶されている場合において、ワークモードの設定がスキャナモードからコピーモードへ切り替えられたことを、予備的な操作として検出し、準備指示情報を送出する構成としてある。
【００１１】
このように、本発明によれば、画像データに先立ち、準備指示情報を画像形成装置へ送出する。その結果、画像形成装置は、画像データの受信に先って、印刷可能な状態にするための準備動作を行うことができる。これにより、画像形成装置は、画像データの受信後速やかに印刷を開始することができる。
すなわち、ファーストコピー時間の短縮を図ることができる。
このように、本発明では、互いに別筐体の画像入力装置と画像形成装置との組み合わせにより実現されるコピー機において、ファーストコピー時間の短縮を図ることができる。
【００１２】
なお、本発明においては、画像入力装置に早期化手段を備えている。このため、画像入力装置及び画像形成装置は、必ずしもネットワークを介してホストコンピュータに接続されている必要はない。すなわち、ホストコンピュータによって制御しない場合においても、早期化手段から準備指示情報を画像形成装置へ送出することにより、ファーストコピー時間の短縮を図ることが可能である。
【００１３】
ところで、コピー専用機ではない画像入力装置は、取り込んだ画像データを画像形成装置へ送出して複写させるコピー機能だけでなく、取り込んだ画像データをホストコンピュータへ送出するスキャナ機能等の複数の機能を有する。そして、ファーストコピー時間の短縮化が必要となるのは、画像入力装置がコピー機能を実現する場合だけである。このため、スキャナ機能等のコピー機能以外の用途の場合には早期化手段を動作させる必要はない。
【００１４】
そこで、本発明によれば、画像データの用途及び送出先を指定するワークモードの設定を記憶するモード記憶部とを備え、早期化手段は、ワークモードの設定として画像データを画像形成装置へ送出するコピーモードがモード記憶部に記憶されている場合において、予備的な操作を検出したときに、準備指示情報を送出する構成としてある。
【００１５】
これにより、ワークモードとしてコピーモードが設定されている場合のみ、すなわち、コピー機能を実現する場合にのみ、早期化手段を選択的に動作させることができる。
なお、ワークモードの設定は、任意好適な手段により行うことができる。例えば、画像入力装置に設けられた操作パネルによって設定してもよいし、画像入力装置とネットワークを介して接続されたホストコンピュータによって設定してもよい。
【００１６】
ところで、ワークモードが例えばスキャナモード等のコピーモード以外のモードに設定されている状態で使用者がコピーをしようとする場合、ワークモードがコピーモードに切り替えられる前に、原稿の設定等の予備的な操作が行われる場合があり得る。その場合、早期化手段は、予備的な操作を検出しても、コピーモードに設定されていないので準備指示情報を送出しない。したがって、ファーストコピー時間の短縮が図れないおそれがある。
【００１７】
そこで、本発明によれば、早期化手段は、ワークモードの設定がコピーモードへ例えばスキャナモードのような他のワークモードから切り替えられたことを、予備的な操作として検出し、準備指示情報を送出する構成としてある。
【００１８】
このようにすれば、予備的な操作後にワークモードがコピーモードに切り替えられた場合においても、早期化手段が準備指示情報を送出するので、ファーストコピー時間の短縮を図ることができる。
さらに、予備的な操作前にワークモードがコピーモードに切り替えられた場合には、より早い段階で、早期化手段が準備指示情報を送出する。このため、一層ファーストコピー時間を短縮することができる。
【００１９】
また、本発明の請求項２記載の画像入力形成システムによれば、互いに接続された画像入力装置と画像形成装置とにより構成され、画像入力装置により画像入力された画像データを、画像形成装置へ送出するとともに、ホストコンピュータと接続可能な画像入力形成システムであって、画像入力装置は、画像データを入力するための予備的な操作を検出すると、画像データを送出する前に、画像形成装置に対し、画像形成のための準備を指示する準備指示情報を送出する早期化手段と、画像データの用途及び送出先を指定するワークモードの設定を記憶するモード記憶部とを備え、画像入力装置の早期化手段は、ワークモードの設定として画像データを画像形成装置へ送出するコピーモードがモード記憶部に記憶されている場合において、ワークモードの設定がスキャナモードからコピーモードへ切り替えられたことを、予備的な操作として検出し、準備指示情報を画像形成装置に送出し、画像形成装置は、準備指示情報を受信すると、画像形成の準備動作を開始する構成としてある。
【００２０】
このように、本発明の画像入力形成システムによれば、画像入力装置と画像形成装置とをインタフェースを介して接続し、さらに、予備的な動作を検出した早期化手段が発する準備指示情報により、画像形成装置が準備動作を開始する。これにより、画像入力装置と画像形成装置との組み合わせにより実現されるコピー機において、ファーストコピー時間の短縮を図ることができる。
【発明の効果】
【００２１】
本発明によれば、画像入力装置と画像形成装置との組み合わせにより実現されるコピー機において、ファーストコピー時間の短縮を図ることができる。
【発明を実施するための最良の形態】
【００２２】
以下、図面を参照して、本発明の実施の形態について説明する。
まず、図１を参照して、本発明の一実施形態の画像入力形成システムの構成を説明する。
図１（Ａ）に示すように、本実施形態の画像入力形成システムは、シリアルインタフェース３を介して互いに接続されたスキャナ等の画像入力装置１とプリンタ等の画像形成装置２とにより構成されている。
また、図１（Ｂ）に示すように、画像入力装置１はネットワークスキャナにより構成することができる。この場合には、画像入力装置１及び画像形成装置２をネットワーク４に接続することができる。このネットワーク４は、例えば、イーサネット（登録商標）等のＬＡＮ（Local  Area  Network）により構成するとよい。
そして、ネットワーク４には、ホストコンピュータ５を接続することができる。したがって、このような構成とした場合には、画像入力装置１及び画像形成装置２は、ホストコンピュータ５の周辺機器として動作する。
【００２３】
そして、画像入力装置１は、操作パネル１１、早期化手段１２及び画像入力部１３を備えている。
なお、画像入力装置１は、これら構成部分以外にも、通常の画像入力装置が有する種々の構成部分（図示せず）を備えている。
【００２４】
操作パネル１１は、画像入力装置１を操作するために設けられている。さらにこの実施形態では、画像入力装置１が入力した画像データの用途及び送出先を指定するワークモードを、操作パネル１１により設定することができる。設定されたワークモードは、画像入力装置１に内蔵された不揮発性メモリ等のモード記憶部（図示せず）に記憶される。モード記憶部にいったん記憶されたワークモードは、操作パネル１１によってワークモードの設定が更新されるまで保持される。
【００２５】
また、このワークモードの設定は、画像入力装置１に対して、ホストコンピュータ５から行うこともできる。この場合にも、設定されたワークモードは、次にワークモードの設定が更新されるまで、画像入力装置１内の不揮発性メモリ等のモード記憶部に格納される。
なお、画像入力装置１がネットワークを介してホストコンピュータに接続されている場合においても、操作パネルによってワークモードを設定することができる。
【００２６】
早期化手段１２は、画像データを入力するための予備的な操作を検出する。ここで、予備的な操作とは、画像入力装置１から画像入力しようとする使用者が、操作パネル１１のコピー開始のスイッチボタン等を操作する前に行う操作である。例えば、画像入力装置１に原稿をセットしたり、その原稿のセットのために画像入力装置１のカバーを開閉したりする操作をいう。
なお、予備的な操作の検出にあたっては、原稿のセットやカバーの開閉を検知する任意好適なセンサを設けるとよい。
【００２７】
そして、早期化手段１２は、予備的に操作を検出すると、モード記憶部を参照し、ワークモードとして画像データを画像形成装置へ送出するコピーモードが設定されている場合に、準備指示情報を送出する。
そして、早期化手段１２は、ワークモードの設定として、コピーモードがモード記憶部に記憶されており、かつ、予備的な操作を検出したときに、準備指示情報を送出する。
【００２８】
そして、予備的な操作を検出すると、早期化手段１２は、シリアルインタフェースを介して、画像形成装置１に対し、画像形成のための準備を指示する準備指示情報を送出する。したがって、準備指示情報は、画像データを送出する前に送出される。
【００２９】
また、画像入力部１３は、ＣＣＤやＣＩＳ等の光電変換素子により構成されている。そして、操作パネル１１からコピー指示が入力されると、画像有力部１３は、原稿を読み取って画像データを生成する。
なお、ＣＣＤ等により読み込まれたデータは、Ａ／Ｄ変換され、さらに入力特性のばらつきの補正等の処理が施された後、画像データとして出力される。
【００３０】
ここで、図２のフローチャートを参照して、本実施形態における画像入力装置１の動作例について説明する。
図２に示すように、画像入力装置１の早期化手段は、モード記憶部に記憶されたワークモードの設定をチェックする（図２のＳ１）。そして、コピーモードが設定されている場合に、予備的な操作を検出すると（図２のＳ２）、早期化手段は、画像形成装置２へ準備指示情報を送出する（図２のＳ４）。
このように、本実施形態では、ワークモードとしてコピーモードが設定されている場合にのみ準備指示情報を送出することができる。
【００３１】
一方、モード記憶部に、例えばスキャナモードなどのコピーモード以外のモードが設定されていることがある。その場合、ワークモードの設定がコピーモードに切り替えられると（図２のＳ３）、早期化手段は準備指示情報を送出する（図２のＳ４）。すなわち、早期化手段１２は、ワークモードの設定がコピーモードへ切り替えられたことを予備的な操作として検出する。
【００３２】
このようにすれば、予備的な操作後にワークモードがコピーモードに切り替えられた場合においても、早期化手段１２が準備指示情報を送出することができる。さらに、予備的な操作が行われる前にワークモードがコピーモードに切り替えられた場合には、より早い段階で準備指示情報を送出することができる。
【００３３】
続いて、操作パネル１１によりコピー指示が入力されると（図２のＳ５）、画像入力装置１は、画像入力部１３により画像入力を行い、入力した画像データを画像形成装置２へシリアルインタフェース３を介して送出する。
なお、本実施形態では、画像入力が行われる前に準備指示情報を送出しているが、本発明においては、画像入力後、画像データの送出前に準備指示情報を送出してもよい。
【００３４】
ここで、図４に、画像入力装置１からシリアルインタフェースを介して画像形成装置２へ送出されるデータの伝送フォーマットを示す。
図４に示すように、この伝送フォーマット６は、先頭から順次にフラグ６１、ヘッダ６２、データ６３、トレーラ６４及びフラグ６５により構成されている。先頭のフラグ６１は、伝送される有効データの開始を示す部分である。また、先頭フラグ６１は、同期信号の抽出に利用されることもある。ヘッダ６２は、アドレス情報やデータ６３の種類を示す部分である。データ６３には、例えば、準備開始指示情報や、制御情報、ステータス情報、又は、画像データが格納される。トレーラ６４には、伝送されたフレームのエラーチェックや訂正用のデータが格納される。そして、末尾のフラグ６５は、伝送される有効データの終了を示す部分である。
【００３５】
次に、図３のフローチャートを参照して、画像形成装置２の動作例について説明する。
図３に示すように、画像形成装置２のＣＰＵ２１は、画像入力装置１からデータを受信すると（図３のＳ１）、そのデータが画像データか否かを判断する（図３のＳ２）。
判断の結果、データが画像データである場合、ＣＰＵ２１は印刷部２３に画像データを印字出力させる（図３のＳ６）。
【００３６】
一方、判断の結果、そのデータが画像データでない場合、ＣＰＵ２１は、さらにそのデータが準備指示情報であるか否かを判断する。そして、そのデータが準備指示情報以外の制御データ等である場合には、その制御データ等の内容に従って制御処理を行う（図２のＳ４）。
【００３７】
また、データが準備指示情報である場合には、画像形成装置２は、画像形成の準備動作を開始する（図３のＳ５）。すなわち、画像形成装置２のＣＰＵ２１は、エンジン２２に対して、実際のコピー開始に先立って印刷が直ちに開始可能な状態となるように印刷の準備を行わせる。準備動作としては、例えば、ヒータの加熱によるウォーミングアップや、ポリゴンモータの起動、さらには、必要に応じて印刷用紙の給紙等を行う。
【００３８】
このように、準備指示情報を受信すると、画像形成装置２は、画像データを受信する前に準備動作を開始する。その結果、画像データ受信後、速やかに印刷動作を開始することができる。このため、ファーストコピー時間を短縮することが可能となる。
【００３９】
上述した実施の形態においては、本発明を特定の条件で構成した例について説明したが、本発明は、種々の変更を行うことができる。例えば、上述した実施の形態においては、画像入力装置としてイメージスキャナの例について説明したが、本発明では、画像入力装置はイメージスキャナに限定されない。この発明は、例えば、デジタルカメラ等の画像情報をデジタル信号として取り込むことができる情報機器一般に適用することができる。
【図面の簡単な説明】
【００４０】
【図１】（Ａ）及び（Ｂ）は、実施形態の画像入力形成システムの構成を説明するためのブロック図である。
【図２】画像入力装置の早期化手段の動作を説明するためのフローチャートである。
【図３】画像形成装置の動作を説明するためのフローチャートである。
【図４】画像入力装置から画像形成装置へ送られるデータの伝送フォーマットの説明図である。
【符号の説明】
【００４１】
１  画像入力装置
２  画像形成装置
３  シリアルインタフェース
４  ネットワーク
５  ホストコンピュータ
６  伝送フォーマット
１１  操作パネル
１２  早期化手段
１３  画像入力部
２１  ＣＰＵ
２２  エンジン
２３  印刷部
６１  フラグ
６２  ヘッダ
６３  データ
６４  トレーラ
６５  フラグ
【図１】
2006287975.tif 000003
【図２】
2006287975.tif 000004
【図３】
2006287975.tif 000005
【図４】
2006287975.tif 000006